(57)【要約】【課題】本発明は、知恵の輪現象によるロープの外れを防止する効果が高いフックを提供することを課題とする。【解決手段】本発明の一態様は、基端部と先端部と上記基端部から上記先端部にかけてＵ字型に湾曲する鉤状部とを有するフックであって、一端が上記基端部に回動可能に支持され、他端が上記先端部近傍の湾曲内面に当接し、上記鉤状部の開口部を開閉する主外れ止めと、上記主外れ止めの他端を、上記先端部近傍の湾曲内面に向けて付勢する主外れ止め付勢部材と、第１端部が上記先端部の頂点に近接し、第２端部が上記鉤状部で基端部近傍の湾曲内側に近接する副外れ止めと、上記副外れ止めの第１端部を、上記先端部の頂点に向けて付勢する副外れ止め付勢手段とを備え、上記副外れ止めが、上記主外れ止めの一端及び他端間の中央より一端側に近い位置で回動可能に支持され、上記副外れ止めの第１端部の先端が、上記先端部の頂点から外縁に突出しない。【選択図】図１
2019142632.tif 000002
【特許請求の範囲】
【請求項１】
基端部と、
先端部と、
上記基端部から上記先端部にかけてＵ字型に湾曲する鉤状部と
を有するフックであって、
一端が上記基端部に回動可能に支持され、他端が上記先端部近傍の湾曲内面に当接し、上記鉤状部の開口部を開閉する主外れ止めと、
上記主外れ止めの他端を、上記先端部近傍の湾曲内面に向けて付勢する主外れ止め付勢部材と、
第１端部が上記先端部の頂点に近接し、第２端部が上記鉤状部で基端部近傍の湾曲内側に近接する副外れ止めと、
上記副外れ止めの第１端部を、上記先端部の頂点に向けて付勢する副外れ止め付勢手段と
を備え、
上記副外れ止めが、上記主外れ止めの一端及び他端間の中央より一端側に近い位置で回動可能に支持され、
上記副外れ止めの第１端部の先端が、上記先端部の頂点から外縁に突出しないことを特徴とするフック。
【請求項２】
上記副外れ止めの第２端部に、上記第１端部の上記頂点への近接量を調整する調整部材が配設されている請求項１に記載のフック。
【請求項３】
上記調整部材が、上記鉤状部で基端部近傍の湾曲内側に当接するボルトと、このボルトに螺合した雌ねじ部とを有し、上記ボルトの進出位置によって上記第１端部の上記頂点への近接量を調整する請求項２に記載のフック。
【請求項４】
上記主外れ止めの他端の幅が、上記先端部近傍の湾曲内面に当接する上記鉤状部の幅より狭い請求項１、請求項２又は請求項３に記載のフック。
【請求項５】
上記副外れ止めの第１端部の幅が、上記主外れ止めに支持される部分の幅より狭い請求項１から請求項４のいずれか１項に記載のフック。
【請求項６】
上記副外れ止めの第２端部の幅が、上記主外れ止めに支持される部分の幅より狭い請求項１から請求項５のいずれか１項に記載のフック。
【請求項７】
上記主外れ止めの他端が、上記先端部近傍の湾曲内面に当接する上記鉤状部に係合する凹部を有する請求項１から請求項６のいずれか１項に記載のフック。
【請求項８】
上記副外れ止めの第１端部が、上記先端部の頂点に係合する凹部を有する請求項１から請求項７のいずれか１項に記載のフック。
【発明の詳細な説明】
【技術分野】
【０００１】
本発明は、フックに関する。
【背景技術】
【０００２】
クレーン等のフックとしては、鉤状のフックと、このフックの開口部に、開口部を開閉する外れ止めが備えられるものが知られている。外れ止めは、フックの基端部に回動可能に支持され、その一方の先端がフック本体の先端側の内側に押し当てられるよう付勢されているものが一般的である。
【０００３】
しかしながら、このような外れ止めを有するフックを使用しても、フックの中に通したロープがたるんでフックの中から延びる部分が外れ止めの上側に折り返された状態となり、この状態でロープに荷重が加わることで、ロープが外れ止めを押し開いてフックから外れてしまうことがある。このようなメカニズムによるロープの外れは、「知恵の輪現象」又は「背抜け現象」と呼ばれており、重大事故を引き起こし得る危険な事象として認知されている。より具体的には、吊り荷の一部を着地した場合に玉掛けワイヤロープのアイがねじれてフックの外れ止めの上側に移動してしまうことで、外れ止めを押し下げて脱落する事故が報告されている。
【０００４】
このような知恵の輪現象によるロープの外れを防止するために、例えば特開２００１−２５３６７９号公報には、外れ止め（主外れ止め）と同軸に枢支され、フック本体の先端又は先端部の外縁に自重又はばね力により当接する外れ防止具（副外れ止め）を設けたフックが提案されている。
【先行技術文献】
【特許文献】
【０００５】
【特許文献１】特開２００１−２５３６７９号公報
【発明の概要】
【発明が解決しようとする課題】
【０００６】
上記公報に記載のフックは、外れ防止具の先端がフックの先端部の外側に突出するため、この外れ防止具の突出部分をロープが持ち上げて外れ防止具を押し開いて主外れ止めの上にロープが入り込んだ状態となり、ロープがフックから外れてしまうことがある。つまり、上記公報に記載のフックでも、知恵の輪現象によるロープの外れが発生するおそれがある。
【０００７】
上記不都合に鑑みて、本発明は、知恵の輪現象によるロープの外れを防止する効果が高いフックを提供することを課題とする。
【課題を解決するための手段】
【０００８】
上記課題を解決するためになされた本発明の一態様は、基端部と、先端部と、上記基端部から上記先端部にかけてＵ字型に湾曲する鉤状部とを有するフックであって、一端が上記基端部に回動可能に支持され、他端が上記先端部近傍の湾曲内面に当接し、上記鉤状部の開口部を開閉する主外れ止めと、上記主外れ止めの他端を、上記先端部近傍の湾曲内面に向けて付勢する主外れ止め付勢部材と、第１端部が上記先端部の頂点に近接し、第２端部が上記鉤状部で基端部近傍の湾曲内側に近接する副外れ止めと、上記副外れ止めの第１端部を、上記先端部の頂点に向けて付勢する副外れ止め付勢手段とを備え、上記副外れ止めが、上記主外れ止めの一端及び他端間の中央より一端側に近い位置で回動可能に支持され、上記副外れ止めの第１端部の先端が、上記先端部の頂点から外縁に突出しないことを特徴とする。
【０００９】
当該フックの副外れ止めは上記主外れ止めに配置されているため、主外れ止め及び副外れ止めのフックへの取り付けを容易に行うことができる。また、当該フックの副外れ止めの第１端部は、フックの先端部の頂点に近接しているため、フックの外部のワイヤロープが副外れ止めを押し開くことを防止することができる。さらに、上記副外れ止めが、上記主外れ止めの一端及び他端間の中央より一端側に近い位置で回動可能に支持されるため、副外れ止めがフック先端部の頂点に近接する傾斜の勾配を大きくすることができ、フックの外部のワイヤロープが副外れ止めに乗り掛かる（引っ掛かる）ことを防止することができる。加えて、副外れ止めの第１端部の先端が、フック先端部の頂点から外縁に突出しないため、フックの外部のワイヤロープが副外れ止めの第１端部を持ち上げることも防止することができる。よって、知恵の輪現象を効果的に防止することができる。
【００１０】
上記副外れ止めの第２端部に、上記第１端部の上記頂点への近接量を調整する調整部材が配設されているとよい。上記第１端部の上記頂点への近接量を調整することができることにより、上記副外れ止めの第１端部を上記頂点に確実に当接させることができ、知恵の輪現象をより効果的に防止することができる。
【００１１】
上記調整部材が、上記鉤状部で基端部近傍の湾曲内側に当接するボルトと、このボルトに螺合した雌ねじ部とを有し、上記ボルトの進出位置によって上記第１端部の上記頂点への近接量を調整できるとよい。上記調整部材が、ボルトと、このボルトに螺合した雌ねじ部を有することにより、上記調整部材を安価で簡易な構成とすることができ、上記近接量の調整も容易に行うことができる。
【００１２】
上記主外れ止めの他端の幅が、上記先端部近傍の湾曲内面に当接する上記鉤状部の幅より狭いとよい。上記主外れ止めの他端の幅が、上記先端部近傍の湾曲内面に当接する上記鉤状部の幅より狭いことで、フックの外部のワイヤロープが主外れ止めの他端を持ち上げることを防止することができる。
【００１３】
上記副外れ止めの第１端部の幅が、上記主外れ止めに支持される部分の幅より狭いとよい。上記副外れ止めの第１端部が、上記主外れ止めに支持される部分の幅より狭くすることで、フックの外部のワイヤロープが副外れ止めの第１端部を持ち上げることを、より効果的に防止することができる。
【００１４】
上記副外れ止めの第２端部の幅が、上記主外れ止めに支持される部分の幅より狭いとよい。上記副外れ止めの第２端部が、上記主外れ止めに支持される部分の幅以下であることにより、フックの外部のワイヤロープが副外れ止めの第２端部を押し開くことを防止することができる。
【００１５】
上記主外れ止めの他端が、上記先端部近傍の湾曲内面に当接する上記鉤状部に係合する凹部を有するとよい。上記主外れ止めの他端が、上記鉤状部に係合する凹部を有することにより、主外れ止めの横荷重に対する強度を向上することができる。
【００１６】
上記副外れ止めの第１端部が、上記先端部の頂点に係合する凹部を有するとよい。上記副外れ止めの第１端部が、上記先端部の頂点に係合する凹部を有することにより、副外れ止めの横荷重に対する強度を向上することができる。
【発明の効果】
【００１７】
以上のように、本発明の一態様に係るフックは、知恵の輪現象によるロープの外れを防止する効果に優れる。
【図面の簡単な説明】
【００１８】
【図１】本発明の一実施形態のフックを示す模式的側面図である。
【図２】図１のフックの模式的斜視図である。
【図３】図１の主外れ止めの模式的斜視図である。
【図４】図１の副外れ止めの模式的斜視図である。
【図５】本発明の他の一実施形態のフックを示す模式的側面図である。
【図６】図５の副外れ止めの模式的上面図である。
【発明を実施するための形態】
【００１９】
以下、適宜図面を参照しつつ、本発明の実施の形態を詳説する。
【００２０】
［第一実施形態］
＜フック＞
本発明の一実施形態に係るフック１は、図１、図２に示すように、クレーンに接続される基端部２、この基端部２と一体で形成される鉤状部３及び先端部４を有する。具体的には、基端部２は、クレーン等に備えられたウインチから繰り出されるワイヤロープ等の先端に接続される。鉤状部３は、先端部４を基端部２側に向けてＵ字型に湾曲し、玉掛けワイヤロープや吊り環等を掛ける部分を形成すると共に、先端部４と基端部２との間にフック１の開口部を形成する。先端部４は終端に向かって先細りに形成される。図１では、先端部４が終端に向かって基端部２からの距離を増大しているが、先端部４の終端は、基端部２と並行で略垂直に形成されてもよいし、基端部２からの距離を減小するように形成されてもよい。
【００２１】
フック１は、上記開口部を開閉する主外れ止め５と、この主外れ止め５に取り付けられる副外れ止め６とを備える。また、基端部２に、主外れ止め回転軸７を挿通する貫通孔を含むリブ８を有する。
【００２２】
（主外れ止め）
主外れ止め５は、一端が基端部２に回動可能に支持され、他端が先端部４近傍の湾曲内面に当接し、フック１の開口部を開閉する。本実施形態では、主外れ止め５は、図３に示すように、天面９及び一対の側面１０を有し、一対の側面１０の一端側に主外れ止め回転軸７を挿通する貫通孔を有する。また、一対の側面１０の、一端及び他端間の中央より一端側に近い位置に、副外れ止め回転軸１１を挿通する貫通孔を有する。
【００２３】
天面９は、略中央部に副外れ止め６を挿通するための、開口１２を有する。開口１２に、後述する副外れ止め６を挿通することによって、主外れ止め５の強度を確保しつつ、副外れ止め６のスムーズな回動が容易に実現できる。
【００２４】
天面９の他端は、フック１の先端部４近傍の湾曲内面に当接するため、この当接する湾曲内面に係合するための凹部１３を有することが好ましい。この凹部１３がフック１の先端部４近傍の湾曲内面に係合することで、主外れ止め５の横荷重に対する強度を向上することができる。
【００２５】
また、主外れ止め回転軸７には、主ねじりばね１４が嵌装されている。この主ねじりばね１４は、主外れ止め５の他端をフック１の先端部４の湾曲内面に向けて付勢して押し当てる。これによって、フック１の開口部が、主外れ止め５によって封止される。
【００２６】
主外れ止め５の他端の幅は、フック１の先端部４近傍の湾曲内面に当接する先端部４の幅より狭く形成されるのが好ましい。主外れ止め５の他端の幅を先細りに形成し、他端が当接する先端部４の幅より狭くすることで、フック１の外部のワイヤロープが主外れ止め５の他端を持ち上げることを防止することができるため、知恵の輪現象を効果的に防止することができる。
【００２７】
フック１に玉掛けワイヤロープや吊り環等を掛けるには、この主ねじりばね１４の付勢力に抗して主外れ止め５の他端を鉤状部３の内側に回動させることでフック１の開口部を開口させ、玉掛けワイヤロープ等を通過させる。
【００２８】
（副外れ止め）
副外れ止め６は、主外れ止め５の開口１２内を挿通し、副外れ止め回転軸１１によって主外れ止め５に回動可能に支持される。具体的には、副外れ止め回転軸１１は、主外れ止め５の一対の側面１０と副外れ止め６とを貫通して、副外れ止め６を回動自在に支持する。また、副外れ止め回転軸１１には、副ねじりばね１５が嵌装されている。この副ねじりばね１５は、副外れ止め６の第１端部１６がフック１の先端部４の頂点に近接すると共に、第２端部１７が鉤状部３で基端部２近傍の湾曲内側に近接するよう付勢する。これによって、フック１の外部のワイヤロープが、フック１の開口を封止する主外れ止め５を押圧してフック１内に進入することを防止することができる。なお、「近接」とは、副外れ止め６の両端（第１端部１６及び第２端部１７）が同時にフック本体１に当接することが好ましいものの、いずれか一方のみがフック本体１に当接して他方がフック本体１から僅かに離間する状態となり得ることを企図している。
【００２９】
また、第１端部１６がフック１の先端部４の頂点に近接することで、フック１の外部にあるワイヤロープが副外れ止め６の第１端部１６を押し下げて副外れ止め６と主外れ止め５との間に滑り込むことを防止することができ、知恵の輪現象を効果的に防止することができる。
【００３０】
副外れ止め６は、フック１の先端部４の頂点に近接する第１端部１６と、鉤状部３で基端部２近傍の湾曲内側に近接する第２端部１７とを有するため、第１端部１６と第２端部１７との間に屈曲部を有する。副外れ止め６には、この屈曲部分に副外れ止め回転軸１１用の貫通孔が設けられる。主外れ止め５の側面１０に、主外れ止め５の一端及び他端間の中央より一端側に近い位置に副外れ止め回転軸１１用の貫通孔を設けることで、副外れ止め６の屈曲部の角度を小さくすることができる。すなわち、副外れ止め６と主外れ止め５とをフック１に取り付けた際に、副外れ止め６が主外れ止め５に支持される箇所（屈曲部）が、フック１の先端部４の頂点より上方となるため、副外れ止め６の第１端部１６の先端をフック１の先端部４の頂点に近接させるためには、副外れ止め６が主外れ止め５に支持される箇所から副外れ止め６の第１端部１６の先端までが急な角度（例えば、垂直に近い角度）の傾斜とされる。このようにすることで、フック１の外部にあるワイヤロープが副外れ止め６の上に乗り掛かることを防止することができる。
【００３１】
主外れ止め回転軸７の中心から副外れ止め回転軸１１の中心までの長さ（Ｄ）は、主外れ止め回転軸７の中心から主外れ止め５の他端までの長さ（Ｌ）の比で（Ｄ／Ｌ）、５０％未満であり、上限としては、４８％が好ましく、４５％がより好ましく、４０％がさらに好ましく、３５％が特に好ましい。一方、上記長さの比の下限としては、１０％が好ましく、１５％がより好ましく、２０％がさらに好ましい。主外れ止め回転軸７の中心から副外れ止め回転軸１１までの中心の距離を上記範囲とすることで、主外れ止め５と副外れ止め６とをフック１に装着した際に、副外れ止め６の第１端部１６の傾斜角を大きくすることができ、フック１の外部にあるワイヤロープが副外れ止め６の上に乗り掛かることを防止することができるため、知恵の輪現象を効果的に防止することができる。
【００３２】
副外れ止め６の第１端部１６の先端は、フック１の先端部４の頂点から外縁に突出しない。具体的には、副外れ止め６が、第１端部１６の先端と、フック１の先端部４の頂点とが一致するように配置されるか、又は、第１端部１６の先端が、フック１の先端部４の頂点近傍であって先端部４の内側（内縁）に近接されるように配置される。このように配置されることで、フック１の外部のワイヤロープが副外れ止め６の第１端部１６の先端を持ち上げることを防止することができる。
【００３３】
副外れ止め６の第１端部１６及び第２端部１７の幅は、副外れ止め６が主外れ止め５に支持されている部分の幅より狭く形成されることが好ましい。すなわち、図４に示すように、副外れ止め６の中央部分に対して、第１端部１６及び第２端部１７を先細りに形成されることが好ましい。具体的には、第１端部１６が近接するフック１の先端部４の頂点の幅と第１端部１６の先端の幅が同一か、若しくは第１端部１６の先端の幅が小さいことが好ましく、また、第２端部１７が近接するフック１の鉤状部３で基端部２近傍の湾曲内側に近接する部分の幅と第２端部の先端の幅が同一か、若しくは第２端部１７の先端の幅が小さいことが好ましい。第１端部１６が近接する先端部４の頂点の幅より第１端部１６の先端の幅が大きい、或いは第２端部１７が近接する鉤状部３で基端部２近傍の湾曲内側に近接する部分の幅より第２端部の先端の幅が大きい場合、フック１の外部にあるワイヤロープが、第１端部１６、第２端部１７のフック１から幅方向に突出した部分に当接し、副外れ止め６を揺動するおそれがある。
【００３４】
副外れ止め６は、第１端部１６にフック１の先端部４の頂点に係合する凹部１８を有することが好ましい。副外れ止め６は、凹部１８によって先端部４の頂点に嵌合するように配置されるので、横方向の荷重に対する副外れ止め６の強度を大きくすることができる。
【００３５】
このような副外れ止め６は、例えば、金属の鋳造、金属ブロックからの削り出し等によって形成することができる。このようにして形成することにより、最適な形状と十分な強度とを兼ね備える副外れ止め６とすることができる。
【００３６】
本実施形態では構成の理解を容易にするため、主外れ止め回転軸７及び副外れ止め回転軸１１の端部を、主外れ止め５の幅方向に突出した構成で示しているが（図２）、主外れ止め回転軸７及び副外れ止め回転軸１１の端部は、主外れ止め５の幅方向に突出しない構成とすることが好ましい。主外れ止め回転軸７及び副外れ止め回転軸１１の端部が、主外れ止め５の幅方向に突出する場合、フック１の外部にあるワイヤロープが当該端部に当接し、主外れ止め回転軸７及び副外れ止め回転軸１１を変形、破損する等のおそれがある。
【００３７】
フック１に玉掛けワイヤロープを係合させる場合には、副ねじりばね１５の付勢力に抗して第１端部１６をフック１の開口部外側、つまり基端部２側に移動させると共に、第２端部１７を鉤状部３の内側、つまり先端部４側に移動させるよう副外れ止め６を回動させつつ、主ねじりばね１４の付勢力に抗して主外れ止め５を鉤状部４内側に回動させればよい。
【００３８】
＜利点＞
以上のように、当該フック１は、副外れ止め６の第１端部１６がフック１の先端部４の頂点に近接し、第１端部１６の先端は、フック１の先端部４の頂点から外縁に突出しないため、フック１の外部にあるワイヤロープが副外れ止め６の第１端部１６を押し下げて副外れ止め６と主外れ止め５との間に滑り込むことを防止することができると共に、フック１の外部のワイヤロープが副外れ止め６の第１端部１６の先端を持ち上げることを防止することができる。よって、知恵の輪現象を効果的に防止することができる。
【００３９】
また、副外れ止め６は、主外れ止め５の一端及び他端間の中央より一端側に近い位置に設けられるため、主外れ止め５と副外れ止め６とをフック１に装着した際に、主外れ止め５が副外れ止め６を支持する箇所から、フック１の先端部４の頂点に近接する副外れ止め６の第１端部１６の先端までの傾斜角を大きくすることができ、フック１の外部にあるワイヤロープが副外れ止め６の上に乗り掛かることを防止することができる。従って、フック１の外部にあるワイヤロープが副外れ止め６に不要な荷重をかけることを防止することができ、知恵の輪現象をより効果的に防止することができる。
【００４０】
さらに、当該フックは、副外れ止め６が主外れ止め５に回動可能に支持されているため、予め副外れ止め６を主外れ止め５に取り付けておけば、主外れ止め５を取り付けることで当該フック１を完成することができる。このため、当該フック１は、組み立てが比較的容易である。また、副外れ止め６が取り付けられた主外れ止め５と、他のフックに装着された既設の外れ止めとを交換することによって、当該フック１を得ることもできる。
【００４１】
［第二実施形態］
本発明の他の一実施形態に係るフック１９は、図５に示すように、主外れ止め５と、この主外れ止め５に取り付けられる副外れ止め２０とを備える。副外れ止め２０の第２端部２２には、第１端部２１のフック１の先端部４の頂点への近接量を調整する調整部材２３が配設されている。なお、上述した第一実施形態と同一の構成については、同一の符号を用いて説明を省略する。
【００４２】
（副外れ止め）
副外れ止め２０は、主外れ止め５の開口１２内を挿通し、副外れ止め回転軸１１によって主外れ止め５に回動可能に支持される。また、副外れ止め回転軸１１には、副ねじりばね１６が嵌装されている。副外れ止め２０の第１端部２１の幅は、先細りに形成されることが好ましい。また、第１端部２１は、フック１の先端部４の頂点に係合する凹部２４を有することが好ましい。
【００４３】
〔調整部材〕
調整部材２３は、副外れ止め２０の第２端部２２に含まれる。調整部材２３は、第１端部２１のフック１の先端部４の頂点への近接量を調整することができる。調整部材２３が、フック１の鉤状部３で基端部２近傍の湾曲内側に当接するボルト２５と、このボルト２５に螺合した雌ねじ部２６とを有し、ボルト２５の進出位置によって第１端部２１の上記頂点への近接量を調整できることが好ましい。具体的には、図６に示すように、副外れ止め２０の第２端部２２の幅方向の略中央にボルト２５が螺合可能なネジ穴２７を設け、このネジ穴２７に雌ねじ部２６を螺合させたボルト２５が螺合されるとよい。このような構成とすることで、調整部材２３を安価で簡易な構成とすることができ、上記近接量の調整も容易に行うことができる。
【００４４】
第１端部２１のフック１の先端部４の頂点への近接量の調整方法を、以下に説明する。フック１に、主外れ止め５及び副外れ止め２０を装着し、副外れ止め２０の第２端部２２のボルト２５が、フック１の鉤状部３で基端部２近傍の湾曲内側に当接し、第１端部２１がフック１の先端部４の頂点に当接しない場合、ボルト２５をネジ穴２７に進入させ、第１端部２１が上記頂点に当接するように調整し、第１端部２１が上記頂点に当接したところで、雌ねじ部２６でボルト２５の突出量を固定する。
【００４５】
又は、副外れ止め２０の第２端部２２のボルト２５が、フック１の鉤状部３で基端部２近傍の湾曲内側に当接せず、第１端部２１がフック１の先端部４の頂点に当接する場合、ボルト２５をネジ穴２７から退出させ、ボルト２５が上記湾曲内側に当接するように調整し、当接したところで、雌ねじ部２６でボルト２５の突出量を固定する。
【００４６】
＜利点＞
本実施形態の副外れ止め２０は、第１端部２１のフック１の先端部４の頂点への近接量を調整することができる調整部材２３を備えるため、第１端部２１をフック１の先端部４の頂点に当接させると共に、第２端部２２のボルト２５をフック１の鉤状部３で基端部２近傍の湾曲内側に当接させることができる。従って、副外れ止め２０の両端を確実にフック１の先端部４及び鉤状部３に当接させることができるため、フック１の外部にあるワイヤロープがフック１内部に入り込むことをより確実に防止することができ、知恵の輪現象をより効果的に防止することができる。
【００４７】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００４８】
当該フックは、クレーンのワイヤロープに取り付けられるものに限られず、例えばチェーンブロックの荷鎖の先端に取り付けられるもの等、他の吊り挙げ装置の吊り具として用いられてもよい。
【００４９】
当該フックは、基部から逆方向に２つの鉤状部及び先端部を有し、側面視Ｗ字状に形成されるいわゆる両かぎフックであってもよく、その２つのフックのどちらか一方または両方に上述の外れ止めを取り付けてもよい。
【００５０】
副外れ止めの第２端部に備えられる調整部材について、上記実施形態ではボルト及び雌ねじ部を有する構成で説明したが、調整部材がラック及びピニオン、シム、又はシリンダーで構成されるものとすることも可能である。
【産業上の利用可能性】
【００５１】
本発明は、クレーン用の吊り具として特に好適に利用することができる。
【符号の説明】
【００５２】
１，１９  フック
２  基端部
３  鉤状部
４  先端部
５  主外れ止め
６，２０  副外れ止め
７  主外れ止め回転軸
８  リブ
９  天面
１０  側面
１１  副外れ止め回転軸
１２  開口
１３  凹部（主外れ止め）
１４  主ねじりばね
１５  副ねじりばね
１６，２１  第１端部
１７，２２  第２端部
１８，２４  凹部（副外れ止め）
２３  調整部材
２５  ボルト
２６  雌ねじ部
２７  ネジ穴
【図１】
2019142632.tif 000003
【図２】
2019142632.tif 000004
【図３】
2019142632.tif 000005
【図４】
2019142632.tif 000006
【図５】
2019142632.tif 000007
【図６】
2019142632.tif 000008